(57)【特許請求の範囲】
【請求項１】
被取付板部を受け止める受部と、この受部で受け止めた前記被取付板部を締め付け固定する締付ボルトと、前記受部と対向し前記締付ボルトを螺着する対向螺着部と、前記受部と前記対向螺着部とを連設する連設部とから成ると共に、前記被取付板部に近接状態に配設する線材を収納する線材収納凹条部を備えた線材保持具であって、前記線材収納凹条部を、前記受部と前記連設部との境界部に凹設して形成した構成とすると共に、この凹設底部が前記受部の受面よりも低い位置に位置し且つ前記受部の板縁に沿って形成した構成とし、この線材収納凹条部を、この線材収納凹条部に前記線材を収納した状態で前記被取付板部に取り付けた際、前記線材収納凹条部の開口部が前記被取付板部の板縁部で閉塞されると共に、前記線材が前記被取付板部の板縁部の下に位置すると共に前記被取付板部の板縁部に沿設状態となるように構成したことを特徴とする線材保持具。
【請求項２】
前記受部と前記対向螺着部と前記連設部と前記線材収納凹条部とを一体成形したことを特徴とする請求項１記載の線材保持具。
【発明の詳細な説明】
【技術分野】
【０００１】
本発明は、建築中または解体中の建築物の周囲を覆う養生ネットやシート並びに建築中の建築物の高所からの建材や作業具などの落下防止用の安全ネットを張設する際の線材を保持する線材保持具に関するものである。
【背景技術】
【０００２】
建築中または解体中の建築物の塗装や塵などが周辺に飛散しないように建築物の周囲を養生ネットやシートなどで覆うことがある。この養生ネットやシートなどは、建築物の梁（例えば、Ｈ型鋼梁材など）や建築物の周囲に設けた足場の足場板などに養生ネットやシートなどに設けられた線材を線材保持具で係止し張設している。
【０００３】
この線材保持具は、梁や足場板などの被取付板部に線材保持具を固定する固定部と線材を保持する線材保持部で構成されており、この線材保持部は、固定部の背面若しくは下方に設けられ、線材を通して保持する環状タイプのものと、線材を掛け止めるフック状タイプのものがある。
【０００４】
この環状の線材保持部を有する線材保持具を用いて養生ネットやシートなどを張設する場合は、線材を一々環状の線材保持部に通す手間を要するが、線材は、線材保持部より取外し不能状態となり、風などの影響で線材保持部より外れることが無い。
【０００５】
一方、フック状の線材保持部を有する線材保持具を用いて養生ネットやシートなどを張設する場合は、容易に線材を線材保持部に掛け止めることができる反面、風などでネットなどが煽られると容易に外れてしまうという問題があった。
【０００６】
そのため、このフック状タイプのものは、フックの形状を複雑にし、容易に外れない工夫をしたものが提案されていて、例えば、実開平６−８６１７号や特開平９−１５８４８８号などのようなものがある。
【先行技術文献】
【特許文献】
【０００７】
【特許文献１】実開平６−８６１７号公報
【特許文献２】特開平９−１５８４８８号公報
【発明の概要】
【発明が解決しようとする課題】
【０００８】
このように、従来の線材保持具は、線材が外れないような構成にすると、取付け時に一々線材保持部に線材を貫通させる作業を行わなければならず、また、追加で途中の位置に取付けようとした場合は非常に手間が掛かるものであった。
【０００９】
また、フック状タイプのものは、容易に外れないようにフック形状を複雑にする必要があり、そのため、線材を線材保持部に掛け止める作業が複雑になり、更に、線材保持具自体も複雑な構成となり、簡易に製造できないものとなってしまう問題があった。
【００１０】
そこで、本発明は、このような従来の線材保持具の問題点を解決するもので、養生ネットやシートなどを張設する際に、容易に線材を線材保持具に係止でき、且つ、係止した線材が線材保持具より容易に外れない構成となる画期的な線材保持具を提供することを目的としている。
【課題を解決するための手段】
【００１１】
添付図面を参照して本発明の要旨を説明する。
【００１２】
被取付板部１を受け止める受部３と、この受部３で受け止めた前記被取付板部１を締め付け固定する締付ボルト５と、前記受部３と対向し前記締付ボルト５を螺着する対向螺着部４と、前記受部３と前記対向螺着部４とを連設する連設部６とから成ると共に、前記被取付板部１に近接状態に配設する線材２を収納する線材収納凹条部８を備えた線材保持具であって、前記線材収納凹条部８を、前記受部３と前記連設部６との境界部に凹設して形成した構成とすると共に、この凹設底部が前記受部３の受面７よりも低い位置に位置し且つ前記受部３の板縁９に沿って形成した構成とし、この線材収納凹条部８を、この線材収納凹条部８に前記線材２を収納した状態で前記被取付板部１に取り付けた際、前記線材収納凹条部８の開口部が前記被取付板部１の板縁部10で閉塞されると共に、前記線材２が前記被取付板部１の板縁部10の下に位置すると共に前記被取付板部１の板縁部10に沿設状態となるように構成したことを特徴とする線材保持具に係るものである。
【００１３】
また、前記受部３と前記対向螺着部４と前記連設部６と前記線材収納凹条部８とを一体成形したことを特徴とする請求項１記載の線材保持具に係るものである。
【発明の効果】
【００１４】
本発明は上述のように構成したから、一々線材を線材保持部に通す作業を行わなくても或いは複雑な掛け止め作業を行わなくても、線材を容易に位置決め状態で係止でき、更に、係止した線材が線材保持具より容易に外れることが無い画期的な線材保持具となる。
【００１５】
また、線材収納凹条部を、線材を収納し得る適度な大きさに形成した場合は、線材が、本発明の線材保持具と近接状態に設けられるので、梁や足場板などの被取付板部と線材の間には殆ど隙間ができず、従って、建築物の中に鳥や雨などが入り込まない、より実用性の向上した優れた線材保持具となる。
【００１６】
また、既に張設済みの養生ネットやシートなどにも任意の位置に容易に追加取付けが可能となり、しかも、例えば、強風で養生ネットやシートなどが揺れるような状態となっても線材が収納部内で殆どバタつかず、線材自体に負荷が掛からないので、線材が切れにくい優れた線材保持具となる。
【００１７】
また、請求項２記載の発明においては、簡易に製造可能にすると共に、線材保持具の強度を一層向上する優れた線材保持具となる。
【図面の簡単な説明】
【００１８】
【図１】本実施例を示す斜視図である。
【図２】本実施例の仕様状態を示す断面図である。
【図３】本実施例を示す背面図である。
【発明を実施するための形態】
【００１９】
好適と考える本発明の実施形態（発明をどのように実施するか）を、図面に基づいて本発明の作用を示して簡単に説明する。
【００２０】
例えば、建築物の周囲に養生ネットやシートなどを設置する場合に、この養生ネットやシートなどの一端部に配設された線材２を、被取付板部１を挿入配設する挿入配設部11を介して線材収納凹条部８に挿入するだけで、容易に位置決め係止することができ、この状態のまま被取付板部１を挿入配設部11に挿入配設して、締付ボルト５で締付固定するだけで線材２を位置決め状態で取外し不能状態にすることができるので、従って、容易に養生ネットやシートなどを張設することができると共に、常に養生ネットやシートが張設状態を保つことができることとなる。
【００２１】
また、張設済みの養生ネットやシートなどに追加設置する場合は、従来の環状タイプのものは、途中の位置に追加設置することは非常に困難であり、ほぼ張り直しすることになってしまうし、従来のフック状タイプのものは、線材２の張り具合にある程度余裕がある（緩みがある）場合は比較的簡単であるが、線材２が緩み無く張られた状態では、線材２を手繰り寄せて線材保持部に掛け止める作業が非常に困難となってしまうことに対して、本発明は、上述したように線材２を、被取付板部１を挿入配設する挿入配設部11に取り入れ、線材２を下方に移動させるか、或いは、本発明の線材保持具を上方に移動するだけで、線材収納凹条部８に収納した状態とすることができるので、線材２の張り具合に関係なく、容易に任意の位置に追加設定できることとなる。
【００２２】
しかも、線材２の収納位置である線材収納凹条部８が、本発明の線材保持具の内面に設けられているので、例えば、この線材収納凹条部８を、線材２を収納し得る適度な大きさで形成した場合は、線材収納凹条部８は、被取付板部１に近設されることとなり、線材２と被取付板部１との間には隙間が殆ど生じず、従って、鳥や雨などの外部からの侵入を防ぎ、建築物内を汚さずに済み、また、目隠し効果も向上し、見栄えも良くなり、更に、水平状態に張設する場合は、従来品で生じていた僅かな隙間さえも無くなるので、その僅かな隙間から工具などが落下する心配を全くしなくてもよくなることとなる。
【実施例】
【００２３】
本発明の具体的な実施例について図面に基づいて説明する。
【００２４】
本実施例は、例えば、建築物の構造材に用いるＨ型鋼梁材の板状部や建築物の工事現場に設ける仮設足場の足場板のような被取付板部１に固定し、養生ネットやシートなどに設けられた線材２を保持し、養生ネットやシートなどを張設するための線材保持具であり、被取付板部１を受け止める受部３と、この受部３と対向する対向螺着部４に螺着した締付ボルト５とで被取付板部１を締付け挟持して取付ける構成とし、受部３と対向螺着部４を連設する連設部６の受部３との境界部の内面に、受部３の受面７より低く凹設形成して線材２を収納する線材収納凹条部８を設けた構成としている。
【００２５】
具体的には、本実施例の連設部６は、Ｃ状体に形成しており、この連設部６の下端部に受部３を設け、この受部３と連設部６の境界部に受部３の板縁９に沿って線材収納凹条部８を凹設し、また、連設部６の上端部に対向螺着部４を設け、この対向螺着部４は、締付ボルト５が螺着垂下状態となる螺子孔が設けられ、この螺子孔に締付ボルト５を螺着した構成としており、締付ボルト５以外は一体成形している。
【００２６】
更に詳しく説明すると、受部３は、受板状に形成しており、更に、受部３の受面７を被取付板部１を挿入する方向と反対方向に引き抜く場合に引っ掛かり状態となるような波状面に施し、被取付板部１からの本実施例の離脱防止を図っている。
【００２７】
この受板状の受部３の板縁９に沿って設けた線材収納凹条部８は、受部３の受面７より低く、左右方向に貫通状態に凹設し、更に、底部は、角を取り湾曲状に形成している。
【００２８】
このように線材収納凹条部８を形成したので、線材２を線材収納凹条部８に収納した際に、例えば、線材２が線材収納凹条部８に対して細い径のもであっても、線材２の自重で自然と湾曲状の最下部に線材２が位置し、前後方向に移動せず、線材２自体に負荷を与え難い形状としている。
【００２９】
更に、被取付板部１に取付けた際に、線材収納凹条部８に収納された線材２の上方に被取付板部１が挿入配設され、この線材収納凹条部８は、被取付板部１の板縁部10によって閉塞された状態となり、線材２は取外し不能状態となるので、上下にバタつくことも無く、更に、例えば、強風などで養生ネットやシートが煽られても線材２が本実施例より外れることが無いため、安心して養生ネットやシートなどを張設できる。
【００３０】
また、仮に被取付板部１の長さが短く、挿入配設部11に被取付板部１を挿入配設したときに被取付板部１の板縁部10が線材収納凹条部８まで届かない場合でも、線材２は、受部３と連設部６と対向螺着部４と締付ボルト５と被取付板部１で環状に閉塞した空間内（線材収納凹条部８）にあるため、取外し不能状態は変わらないこととなる。
【００３１】
この線材収納凹条部８の受部３側で無い端部より立直状態に連設部６を設け、この連設部６上部を受部３側に湾曲させ、上端部に設けた対向螺着部４が受部３の中央部の真上に位置するように形成している。
【００３２】
この連設部６の上端部に設けた対向螺着部４は、この中心部に締付ボルト５が螺着垂下状態となるように雌螺子孔が設けられている。
【００３３】
この雌螺子孔に螺着垂下する締付ボルト５は、ボルト先端部に被取付板部１を抑え付ける抑止部12を設け、更に、この締付ボルト５が対向螺着部４に螺着状態において、この対向螺着部４と締付ボルト５のボルト頭部13の間に座金14とナット15を設けた構成としている。
【００３４】
この抑止部12は、傘状に形成していて、被取付板部１をより広範囲に渡って抑え付ける構成とし、更に、この締付ボルト５が対向螺着部４より抜け落ちないようにストッパーの役目も果している。
【００３５】
また、対向螺着部４と締付ボルト５のボルト頭部13の間に座金14とナット15を設けたことで、被取付板部１を締付ボルト５で締め付け固定した後で、このナット15を対向螺着部４側に閉め込むことで、締付ボルト５が緩みにくくなり、従って、被取付板部１に強固に固定されることとなる。
【００３６】
このように本実施例を構成したので、線材２を受部３と対向螺着部４の間より挿入配設部11に取り入れ、線材２を下方に移動させるか、或いは、本実施例を上方に移動させるだけで、この線材２を線材収納凹条部８に収納することができ、このように容易に線材２を位置決めした状態の本実施例を被取付板部１に取付け、締付ボルト５で締め付け固定するだけで、容易に線材２を保持できるので、容易に養生ネットやシートなどを張設できることとなる。
【００３７】
このとき、線材収納凹条部８に収納した線材２は、被取付板部１の板縁部10によって閉塞状態となるので、線材２は、この線材収納凹条部８より取外し不能状態となり、どんなに引っ張られようが本実施例が被取付板部１より取外されない限り離脱しないので、常に張設状態を保てることとなる。
【００３８】
また、線材収納凹条部８が、被取付板部１の板縁部10の近傍直下に位置しているので、線材２と被取付板部１には、垂直方向及び水平方向のどちらにも殆ど隙間が生じないこととなるので、建築物の外部からネットを取付けた際に生じる隙間を通じて鳥などが入り込むこともなくなり、更に、目隠し効果も向上することとなる。
【００３９】
尚、本実施例では、養生ネットやシートなどを垂設状態で取付ける場合に用いているが、建築現場の落下防止に用いる安全ネットのような水平状態に設けるネットやシートにおいても使用可能で、効果も同様に隙間を作らずに、容易に張設できるものである。
【００４０】
尚、本発明は、本実施例に限られるものではなく、各構成要件の具体的構成は適宜設計し得るものである。
【符号の説明】
【００４１】
１  被取付板部
２  線材
３  受部
４  対向螺着部
５  締付ボルト
６  連設部
７  受面
８  線材収納凹条部
９  板縁
10  板縁部
【図１】
0005492466.tif 000002
【図２】
0005492466.tif 000003
【図３】
0005492466.tif 000004